(57)【要約】【課題】通帳スタッカ扉を開けて通帳を取出すときにステージが揺れ動くことなく、通帳を取出した後にステージが跳上がらないようにする。【解決手段】ステージ８の後方端部にロック嵌合突起部１８を設け、ロック嵌合突起部１８に嵌合するロック嵌合孔２５ａを設けたロック嵌合板部２５と、通帳スタッカ扉１３に連結するリンク部９を設け、通帳スタッカ扉１３の開動作によって、リンク部９をスタッカ前面方向にスライドさせて、ロック嵌合突起部１８をロック嵌合孔２５ａに嵌合させることにより、ステージ８を固定状態にする。【選択図】図１
2018008792.tif 000002
【特許請求の範囲】
【請求項１】
媒体を集積する媒体スタッカであって、
前記媒体を集積し前記媒体の集積数に応じて自重により下降する集積部と、
前記集積部に集積された前記媒体を取出し可能とする開閉可能な扉と、
上下方向に対しては固定され、前記集積部に対しては移動可能とする固定手段と、
前記扉の開閉動作と前記固定手段の移動動作を連結する連結手段とを有し、
前記固定手段は、前記連結手段を介して、前記扉が閉じたときに前記集積部を非固定状態とし、前記扉が開いたときに前記集積部を固定状態とすることを特徴とする媒体スタッカ。
【請求項２】
前記集積部に突起部を設け、
前記固定手段は、前記集積部に対して接離する方向に移動可能とし、前記突起部に嵌合する嵌合孔を上下方向に複数設け、
前記扉が開いたときに前記連結手段により前記固定手段を移動させることにより、前記固定手段の前記嵌合孔を前記突起部に嵌合させ、前記集積部を固定状態とすることを特徴とする請求項１記載の媒体スタッカ。
【請求項３】
前記突起部は円錐形であることを特徴とする請求項２記載の媒体スタッカ。
【請求項４】
水平方向へ付勢されるロックローラを前記集積部に設け、
前記固定手段は、前記集積部に対して接離する方向に移動可能とし、前記ロックローラに嵌合するロックローラ嵌合孔を上下方向に複数設け、
前記扉が開いたときに前記連結手段により前記固定手段を移動させることにより、前記固定手段の前記ロックローラ嵌合孔を前記ロックローラに嵌合させ、前記集積部を固定状態とすることを特徴とする請求項１記載の媒体スタッカ。
【請求項５】
前記集積部は、後方端部に前記固定手段が進入可能とする切欠部を備え、
前記固定手段は、前記扉が開いたときに前記移動によって前記切欠部に進入することにより、前記集積部に集積した前記媒体の後方端部を押して、前記扉から前記媒体を押し出すとともに前記集積部を固定状態とすることを特徴とする請求項４記載の媒体スタッカ。
【請求項６】
前記ロックローラは、前記集積部の底面に設けられ、かつ前記固定手段が前記切欠部を進入する進入経路に進出するように進入経路に直角に付勢され、
前記固定手段に設けたロックローラ嵌合孔は、前記ロックローラ側に向けて設けられることを特徴とする請求項５記載の媒体スタッカ。
【請求項７】
水平方向へ付勢されるロックローラを前記集積部の底面に設け、
前記固定手段は、前記集積部の側面に対して平行に移動可能とし、前記ロックローラに嵌合するロックローラ嵌合孔を上下方向に複数設け、
前記扉が開いたときに前記連結手段により前記固定手段を移動させることにより、前記固定手段の前記ロックローラ嵌合孔を前記ロックローラに嵌合させ、前記集積部を固定状態とすることを特徴とする請求項１記載の媒体スタッカ。
【請求項８】
前記ロックローラは、前記固定手段が移動する方向に対し直角に付勢され、
前記固定手段に設けたロックローラ嵌合孔は、前記ロックローラ側に向けて設けられることを特徴とする請求項１記載の媒体スタッカ。
【請求項９】
前記扉は、前記扉に固定され、前記扉の開閉動作に従って移動する第１のリンク駆動支点を備え、
前記連結手段は、前記第１のリンク駆動支点と係合する第１の長孔と、筐体に固定されたリンクスライド支点と係合する第２の長孔を備えたリンク手段であることを特徴とする請求項１乃至６いずれか一記載の媒体スタッカ。
【請求項１０】
前記連結手段は、前記扉の回転支軸を支点として回転する第１のギヤと、該第１のギヤと歯合する第２のギヤと、該第２のギヤと歯合する第３のギヤとを備え、
更に、前記第３のギヤの支点を支点として回動するアームリンクを含むことを特徴とする請求項１乃至５いずれか一記載の媒体スタッカ。
【請求項１１】
請求項１乃至請求項７のいずれか一記載の媒体スタッカを備えること特徴とする自動取引装置。
【発明の詳細な説明】
【技術分野】
【０００１】
本発明は、現金自動預払機、通帳取扱装置等の自動取引装置において用いられる媒体スタッカに関するものである。
【背景技術】
【０００２】
一般に、現金自動預払機、通帳取扱装置などの自動取引装置では、通帳、カード等の媒体を用いて現金の入出金取引、通帳発行などの自動取引が行なわれる。特に、通帳を用いて自動取引を行う自動取引装置では、顧客が取忘れた通帳、通帳発行の際のエラー通帳などを集積する通帳スタッカ及び通帳繰越しが発生したときに発行する新規通帳を複数冊保管する通帳スタッカを備えている。例えば、特開２００１−４３４２７号公報（特許文献１）には、顧客が挿入した通帳だけでは印字データを印字するには不足するような場合、通帳スタッカから新規通帳を発行することが記載されている。
このような自動取引装置では、保守員による通帳の交換、補充のときに、自動取引装置の装置開閉扉を開けて通帳スタッカに集積された通帳を取出す作業又は通帳スタッカに新たな通帳を補充する作業が行われる。
【０００３】
図２０は、従来の自動取引装置の背面側上方から見た通帳スタッカの斜視図である。図２０に示すように、通帳スタッカ１０２は、通帳１１０を集積するステージ１０８と、通帳スタッカ１０２を開閉する通帳スタッカ扉１１３を備える。また、通帳スタッカ１０２の後方には、図示しない通帳搬送機構及び通帳繰出機構が配置されており、通帳１１０の搬入及び通帳１０の繰出しが行われる。
【０００４】
ステージ１０８は、所定の冊数の通帳１１０をステージ１０８上に集積できるように、図示しない吊りバネ等により上方向（矢印Ｚａ方向）に吊り上げ、集積された通帳１１０の重量によって下方向（矢印Ｚｂ方向）に下降するようになっている。通帳スタッカ扉１１３は、回転支軸１２２を支軸として矢印Ｂ方向に開くと、集積された通帳１１０を取出すことができ、閉じれば開かないようにロックされる。
【先行技術文献】
【特許文献】
【０００５】
【特許文献１】特開２００１−４３４２７号公報
【発明の概要】
【発明が解決しようとする課題】
【０００６】
しかしながら、上記従来の通帳スタッカ１０２では、ステージ１０８を吊りバネ等で吊り上げているために、通帳スタッカ扉１１３を開けて、集積された通帳１１０を取り出そうとすると、通帳１１０が上下方向に揺れ動き、取出し難いという問題があった。また、通帳１１０を取出した時に、吊りバネの吊上げ力でステージ１０８が上方向に跳ね上げられ、手などを挟んでしまうおそれがあった。
【０００７】
本発明の課題は、このような問題を解決することを課題とし、通帳等の媒体をステージ上に集積する媒体スタッカにおいて、媒体スタッカに集積された媒体を取出すときにステージ上に集積された通帳が上下方向に揺れ動くことがなく、通帳を取出した後にステージが跳上がることがない媒体スタッカを提供することにある。
【課題を解決するための手段】
【０００８】
上記課題を解決するために請求項１記載の本発明に関する媒体スタッカは、媒体を集積する媒体スタッカであって、前記媒体を集積し前記媒体の集積数に応じて自重により下降する集積部と、前記集積部に集積された前記媒体を取出し可能とする開閉可能な扉と、上下方向に対しては固定され、前記集積部に対しては移動可能とする固定手段と、前記扉の開閉動作と前記固定手段の移動動作を連結する連結手段とを有し、前記固定手段は、前記連結手段を介して、前記扉が閉じたときに前記集積部を非固定状態とし、前記扉が開いたときに前記集積部を固定状態とすることを特徴とする。
【０００９】
請求項２記載の本発明に関する媒体スタッカは、前記集積部に突起部を設け、前記固定手段は、前記集積部に対して接離する方向に移動可能とし、前記突起部に嵌合する嵌合孔を上下方向に複数設け、前記扉が開いたときに前記連結手段により前記固定手段を移動させることにより、前記固定手段の前記嵌合孔を前記突起部に嵌合させ、前記集積部を固定状態とすることを特徴とする。
【００１０】
請求項４記載の本発明に関する媒体スタッカは、水平方向へ付勢されるロックローラを前記集積部に設け、前記固定手段は、前記集積部に対して接離する方向に移動可能とし、前記ロックローラに嵌合するロックローラ嵌合孔を上下方向に複数設け、前記扉が開いたときに前記連結手段により前記固定手段を移動させることにより、前記固定手段の前記ロックローラ嵌合孔を前記ロックローラに嵌合させ、前記集積部を固定状態とすることを特徴とする。
【００１１】
請求項５記載の本発明に関する媒体スタッカは、前記集積部は、後方端部に前記固定手段が進入可能とする切欠部を備え、前記固定手段は、前記扉が開いたときに前記移動によって前記切欠部に進入することにより、前記集積部に集積した前記媒体の後方端部を押して、前記扉から前記媒体を押し出すとともに前記集積部を固定状態とすることを特徴とする。
【発明の効果】
【００１２】
本発明によれば、媒体を集積し前記媒体の集積数に応じて自重により下降する集積部と、前記集積部に集積された前記媒体を取出し可能とする開閉可能な扉と、上下方向に対しては固定され、前記集積部に対しては移動可能とする固定手段と、前記扉の開閉動作と前記固定手段の移動動作を連結する連結手段とを有し、前記固定手段は、前記連結手段を介して、前記扉が閉じたときに前記集積部を非固定状態とし、前記扉が開いたときに前記集積部を固定状態とするようにしたので、媒体スタッカに集積された媒体を取出すときに、上下方向に通帳が揺れ動くことがなく、通帳を取出した後もステージが跳上がることがない。
【図面の簡単な説明】
【００１３】
【図１】第１の実施の形態に関する通帳スタッカの内部を示す上面図である。
【図２】第１の実施の形態に関する自動取引装置を正面側上方から見た斜視図である。
【図３】第１の実施の形態に関する自動取引装置を背面側上方から見た斜視図である。
【図４】第１の実施の形態に関する通帳スタッカをスタッカ前面側上方から見た斜視図である。
【図５】第１の実施の形態に関する通帳スタッカのロック嵌合板部をスタッカ前面側上方から見た斜視図である。
【図６】第１の実施の形態に関する通帳スタッカのステージに設けたロック嵌合突起部をスタッカ後方側上方から見た斜視図である。
【図７】第１の実施の形態に関する通帳スタッカの内部を示す側面図である。
【図８】第１の実施の形態に関する通帳スタッカの内部を示す上面図である。
【図９】第１の実施の形態に関する通帳スタッカの内部を示す側面図である。
【図１０】第１の実施の形態の変形例に関する通帳スタッカの内部を示す上面図である。
【図１１】第１の実施の形態の変形例に関する通帳スタッカの内部を示す上面図である。
【図１２】第２の実施の形態に関する通帳スタッカの内部を示す上面図である。
【図１３】第２の実施の形態に関する通帳スタッカの通帳プッシュ部をスタッカ前面側上方から見た斜視図である。
【図１４】第２の実施の形態に関する通帳スタッカのステージの底面に設けたロックローラを示す斜視図である。
【図１５】第２の実施の形態に関する通帳スタッカの内部を示す側面図である。
【図１６】第２の実施の形態に関する通帳スタッカの内部を示す上面図である。
【図１７】第２の実施の形態に関する通帳スタッカの内部を示す側面図である。
【図１８】第２の実施の形態に関する通帳スタッカ扉が開かれたときの通帳スタッカを装置背面上方から見た斜視図である。
【図１９】第２の実施の形態の変形例２に関する通帳スタッカの内部を示す上面図である。
【図２０】従来の自動取引装置の背面側上方から見た通帳スタッカの斜視図である。
【発明を実施するための形態】
【００１４】
（第１の実施の形態）
以下に本発明を実施するための最良の形態である第１の実施の形態に関する自動取引装置１及び通帳スタッカ１２の構成を説明する。各図面に共通な要素には同一の符号を付す。なお、以下の説明では、通帳を集積する通帳スタッカを例として説明するが、カード状の媒体を集積するスタッカであってもよいし、紙葉状の媒体を集積するスタッカであってもよい。
【００１５】
最初に、第１の実施の形態に関する自動取引装置１の構成を説明する。図２は、第１の実施の形態に関する自動取引装置を正面側上方から見た斜視図である。第１の実施の形態に関する自動取引装置１は、その正面側には、取引選択画面等が表示されて顧客が選択操作する顧客操作部２と、顧客が紙幣の投入及び取出しを行う紙幣入出金口３、硬貨の投入及び取出しを行う硬貨入出金口４が配置されている。更に、キャッシュカード等のカードの挿入及び返却を行うカード挿入返却口５、通帳１０の挿入及び返却を行う通帳挿入返却口６が配置されている。このように、自動取引装置１は、顧客の操作によって現金の入出金、通帳取引などが行えるようになっている。
【００１６】
図３は、第１の実施の形態に関する自動取引装置を背面側上方から見た斜視図である。第１の実施の形態に関する自動取引装置１は、その背面側に装置開閉扉１ａが設けられており、保守の際に保守員等が装置開閉扉１ａを矢印Ａ方向に開くことができる。
装置背面の下段には、入出金する現金が収納された複数の現金ユニット１１が配置されている。装置背面の上段には、通帳１０への印字並びに通帳１０の磁気ストライプに記録されたデータの読出し及び書込みを行う通帳処理部６−１が配置されている。また、同じく装置背面の上段には、キャッシュカード等のカードに記録されたデータの読出し及び書込みを行うカード処理部５−１が配置されている。
【００１７】
装置背面の中段には、通帳処理部６−１の下方に媒体スタッカとしての通帳スタッカ１２が配置されており、通帳スタッカ１２の扉としての通帳スタッカ扉１３がスタッカ前面側に設けられている。保守員等が通帳スタッカ扉１３を矢印Ｂ方向に開くことによって、集積された通帳１０を取出せるようになっている。
【００１８】
次に、第１の実施の形態に関する自動取引装置１の通帳スタッカ１２の構成を説明する。図４は、第１の実施の形態に関する通帳スタッカをスタッカ前面側上方から見た斜視図である。媒体スタッカとしての通帳スタッカ１２の外形は、長方形の箱形であり、その内部に通帳１０を集積する通帳スタック部１５と、後述する連結手段としてのリンク部９を備えている。
ここで、リンク部９は、後述するように、上方にリンク部９ｘ及び下方に９ｙを備えた構成としてもよいし、リンク部９ｘ又は９ｙのいずれかのみ備える構成としてもよい。以下、リンク部９ｘ及び９ｙの共通する説明においては、単にリンク部９という。
【００１９】
更に、通帳スタック部１５内には、複数の通帳１０を横にして重ねて集積する集積部としてのステージ８が、上下方向（Ｚ方向）に移動可能に実装されている。ステージ８は、後述する吊りバネ１６の付勢力によって上方向（矢印Ｚａ方向）に吊り上げられており、集積される通帳１０の冊数が増えると増えた分の重量に応じて下降するようになっている。
【００２０】
通帳スタッカ扉１３は、スタッカ前面側から見て右側に設けられた回転支軸２２を支軸として矢印Ｂ方向に開き、通帳スタック部１５に対してアクセス可能となる。通帳スタッカ扉１３には、スタッカ前面側から見て左側に、開き易くするための取手１３ａが設けられている。
スタッカ前面側から見て通帳スタック部１５の後方には、図示しない通帳搬送機構及び通帳繰出機構が配置され、通帳搬送機構によって通帳スタック部１５内に通帳１０を一冊毎に搬入し、通帳繰出機構によって通帳スタック部１５内の通帳１０を一冊毎に他のユニットへ繰り出す。
【００２１】
次に、第１の実施の形態に関する自動取引装置１の通帳スタッカ１２内部の構成を更に詳細に説明する。図１は、第１の実施の形態に関する通帳スタッカの内部を示す上面図である。前述のように通帳スタッカの内部は、通帳１０を集積する通帳スタック部１５と、通帳スタッカ扉１３の開閉動作を後方にあるロック嵌合板部２５のスライダ動作に伝える連結手段としてのリンク部９を備えている。
通帳スタッカ１２の通帳スタッカ扉１３の内側には、回転支軸２２付近に第１のリンク駆動支点としてのリンク駆動支点２３が備えられている。リンク駆動支点２３は垂直に設けられたシャフトからなり、リンク駆動支点２３の上下両端が通帳スタッカ扉１３に固定される。通帳スタッカ扉１３が開閉時に回転支軸２２を中心に開閉動作をすることにより、リンク駆動支点２３も回転支軸２２を中心に回転運動をする構成となっている。
【００２２】
リンク部９はスタッカ前面側からスタッカ後方側へ（矢印Ｃに平行に）延びて形成され、スタッカ前面側にはリンク部９から直角（矢印Ｘ方向）に第１の長孔としての長孔９ａが形成される。更に、リンク部９には、長い第２の長孔としての長孔９ｂ及び９ｃが設けられる。
【００２３】
矢印Ｘ方向に設けられた長孔９ａは、リンク駆動支点２３と係合しており、通帳スタッカ扉１３の開動作によって、リンク部９をスタッカ前面側へ、即ち矢印Ｃ方向へ牽引する。矢印Ｃ方向に平行に設けられた長孔９ｂ及び９ｃは、固定されたリンクスライド支点２４ｂ及び２４ｃとそれぞれ係合しており、リンク部９が矢印Ｃ方向へスライドするのをガイドする。リンクスライド支点２４ｂ及び２４ｃは垂直に設けられたシャフトからなり、上下両端が通帳スタッカ１２又は通帳スタック部１５の筐体に固定されている。
【００２４】
集積部としてのステージ８における後方端部としてスタッカ後方側の端部には、ロック嵌合突起部１８が設けられている。一方、固定手段としてのロック嵌合板部２５は、リンク部９のスタッカ後方側に、リンク部９から直角に延びて連結されている。ロック嵌合板部２５は、ステージ８のロック嵌合突起部１８に嵌合するロック嵌合孔２５ａを備える。固定手段としてのロック嵌合板部２５は後述するように上下方向には固定されるが、ステージ８に対して接離する方向、即ち矢印Ｃ方向又は逆Ｃ方向にスライド可能となる。
【００２５】
ステージ８におけるスタッカ前面側から見た左右両側面にはステージ８に連結されたステージ支持部１７が設けられている。ステージ支持部１７には、ステージ８を上方向に吊り上げるための吊りバネ１６の下端が取付けられている。通帳スタック部１５の両側面の外側には、吊りバネ１６の上端が取付けられている。これにより、ステージ８は吊りバネ１６の付勢力によって、常に上方に吊り上げられ、集積した通帳の集積数に応じて自重によって下降し、所定の高さで停止している。
【００２６】
なお、左右両側面に備えた吊りバネ１６及びステージ支持部１７は、左右いずれかの側面のみに設けるようにしてもよい。また、吊りバネ１６は、通帳スタッカ１２の両側面に設けるようにしてもよい。
【００２７】
次に、第１の実施の形態に関する通帳スタッカ１２における固定手段としてのロック嵌合板部２５の構成を説明する。図５は、第１の実施の形態に関する通帳スタッカのロック嵌合板部をスタッカ前面側上方から見た斜視図である。後述するように固定手段としてのロック嵌合板部２５は、連結手段としてのリンク部９を介することにより、通帳スタッカ扉１３が閉じたときにステージ８を非固定状態とし、通帳スタッカ扉１３が開いたときにステージ８を固定状態とする。固定状態は、ステージ８のロック嵌合突起部１８をロック嵌合板部２５のロック嵌合孔２５ａに嵌合させることにより行われる。非固定状態は、この嵌合が解かれることにより行われる。
【００２８】
図５に示すように、ロック嵌合板部２５は、スタッカ前面側から見て右側端部がリンク部９ｘ及び９ｙに連結された構成となっている。ここで、リンク部９ｘ及び９ｙ並びにロック嵌合板部２５間の連結は、ネジ止め又は溶接でもよい。或いは、ロック嵌合板部２５は、リンク部９とともに一体成型として生成してもよいし、板金加工により生成してもよい。
【００２９】
リンク部９ｘ及び９ｙには、長手方向に沿って長孔９ｂ及び９ｃが形成されている。長孔９ｂ及び９ｃには、通帳スタック部１５の筐体に上下両端が固定されたリンクスライド支点２４ｂ及び２４ｃがスライド可能に係合している。これによりリンク部９ｘ及び９ｙは、スタッカ前面側（矢印Ｃ方向）にスライド可能となっている。従って、リンク部９ｘ及び９ｙが矢印Ｃ方向にスライドすれば、リンク部９ｘ及び９ｙに直角に連結されたロック嵌合板部２５も、リンク部９ｘ及び９ｙとともに矢印Ｃ方向にスライドする。
【００３０】
ロック嵌合板部２５は長方形をした板状部材であり、厚さ方向をスタッカ前面側（矢印Ｃ方向）に向けて垂直に配置される。ロック嵌合板部２５は、スタッカ前面側に向いた平面に、ロック嵌合孔２５ａを上下方向としての矢印Ｚ方向に複数配置する。ロック嵌合孔２５ａは、次に説明するロック嵌合突起部１８を嵌合させるために円形孔からなる。ロック嵌合板部２５は、ステージ８に対して接離する方向に、即ち矢印Ｃ方向にスライドし、ステージ８に備えられたロック嵌合突起部１８にロック嵌合孔２５ａを嵌合させる。これによって、ステージ８の上下方向の移動を規制すること、即ちステージ８を固定状態にすることができる。
【００３１】
図６は第１の実施の形態に関する通帳スタッカのステージに設けたロック嵌合突起部をスタッカ後方側上方から見た斜視図である。ロック嵌合突起部１８は、集積部としてのステージ８のスタッカ後方側の端部に設けられる。ロック嵌合突起部１８はスタッカ後方側に向けて細くなる円錐形をなし、ロック嵌合孔２５ａに嵌合し易くなっている。ロック嵌合突起部１８はステージ８と一体として上下移動し、ステージ８が所定の高さで停止しているとき、ロック嵌合板部２５がスタッカ後方側から矢印Ｃ方向にスライドしてくると、複数あるロック嵌合孔２５ａのうちの一個に嵌合する。
【００３２】
なお、ロック嵌合孔２５ａは、ロック嵌合突起部１８に嵌合するようにできれば、楕円状、多角形状であってもよい。更に、ロック嵌合孔２５ａは、ステージ８に設ける構造であるが、ステージ８のそのものの形状を突起状に形成したものでもよい。また、ロック嵌合孔２５ａは、貫通した孔形状でなくてもよく、テーパー状の穴形状としてもよい。また、ロック嵌合孔２５ａの数は、図６では９個を示すが９個を超える数であってもよく、８個以下であってもよい。
【００３３】
図７は、第１の実施の形態に関する通帳スタッカの内部を示す側面図である。図７は図１における矢印Ｓ方向から見た側面図である。通帳スタッカ１２の前方側（図中左側）には、取手１３ａを備えた通帳スタッカ扉１３が開閉可能に設けられており、図７では通帳スタッカ扉１３が閉じた状態を示す。
【００３４】
通帳スタッカ１２のリンク部９ｘ及び９ｙは、それぞれ上下固定レール２９ｘ及び２９ｙによって上下方向には固定されるが、矢印Ｃ方向にスライド可能に配置されている。リンク部９ｘ及び９ｙは、後方端部としてのスタッカ後方側の端部（図中右側）にロック嵌合板部２５が連結されている。これによりロック嵌合板部２５は上下方向には固定されるが、矢印Ｃ方向にスライド可能となる。即ちロック嵌合板部２５はステージ８に対して接離する方向にスライド可能となる。
リンク部９ｘ及び９ｙのスタッカ前面側の端部は、リンク駆動支点２３を介して通帳スタッカ扉１３に連結されている。垂直に設けたリンク駆動支点２３は、通帳スタッカ扉１３の内側の上下に設けた２個の駆動支点支持部１３−１によって垂直に固定される。
【００３５】
通帳１０を集積するステージ８は、前述のようにスタッカ前面側から見て左右両側に設けた吊りバネ１６によって、上方向（矢印Ｚａ方向）に吊り上げられている。吊りバネ１６は、その上端が通帳スタック部１５の外側面に固定され、下端がステージ８に連結されたステージ支持部１７に接続されている。
ステージ８の後方側には、前述のようにロック嵌合突起部１８がロック嵌合板部２５のロック嵌合孔２５ａに対向するように設けられている。
【００３６】
以上の構成により第１の実施の形態に関する自動取引装置１及び通帳スタッカ１２は以下のように動作する。最初に、第１の実施の形態に関する自動取引装置１の動作を説明する。
先ず、顧客が、図２に示す装置正面側の顧客操作部２における取引選択画面で通帳取引を選択すると、通帳取引が開始され、通帳挿入返却口６から通帳１０を挿入するように顧客操作部２によって誘導する。
【００３７】
顧客が通帳１０を挿入すると、図３に示す通帳処理部６−１は、挿入された通帳１０の磁気ストライプのデータを読み取り、入出金取引等を行い、取引結果を通帳１０に印字して通帳挿入返却口６より返却する。また、印字の際、通帳１０の印字ページが満杯となった場合は、顧客操作部２が新たな通帳を発行する旨を表示し、通帳処理部６−１は通帳１０を通帳挿入返却口６から返却する。
【００３８】
返却された通帳１０を顧客が取り忘れた場合は、取り忘れた通帳１０を通帳スタッカ１２の通帳スタック部１５に搬送し、順次、通帳スタック部１５のステージ８上に集積する。
所定の冊数の通帳１０がステージ８上に集積されると、自動取引装置１が一時停止され、保守員が呼び出される。そして、保守員により通帳スタッカ１２に集積された通帳１０が取り出される。この通帳１０の取出しは、図３に示すように、自動取引装置１の装置開閉扉１ａを矢印Ａのように開き、次いで、通帳スタッカ扉１３を矢印Ｂのように開いて行われる。
【００３９】
次に、第１の実施の形態に関する自動取引装置１の通帳スタッカ１２の動作を説明する。図８は、第１の実施の形態に関する通帳スタッカの内部を示す上面図である。また、図９は、第１の実施の形態に関する通帳スタッカの内部を示す側面図である。図９は図８における矢印Ｓ方向から見た側面図である。図８及び図９は通帳スタッカ扉１３が開いた状態を示す。
【００４０】
通帳スタッカ扉１３が回転支軸２２を支点として矢印Ｂのように開かれると、図８に示すように、通帳スタッカ扉１３の内側に固定されたリンク駆動支点２３が、同じく回転支軸２２を支点として矢印Ｂａのように移動する。このリンク駆動支点２３の移動によって、リンク駆動支点２３に係合している長孔９ａが移動し、長孔９ａの移動に牽引されて、リンク部９は矢印Ｃ方向へスライドする。
そして、リンク部９ｘ及び９ｙは、通帳スタック部１５の筐体に上下両端が固定されたリンクスライド支点２４ｂ及び２４ｃと係合した長孔９ｂ及び９ｃにガイドされ、矢印Ｃ方向へスライドする。
【００４１】
このリンク部９ｘ及び９ｙのスライド動作により、リンク部９ｘ及び９ｙのスタッカ後方側の端部に連結された固定手段としてのロック嵌合板部２５が矢印Ｃ方向へスライドし、図９に示すように、ステージ８に設けたロック嵌合突起部１８と、複数のロック嵌合孔２５ａのうち所定の高さのロック嵌合孔２５ａが嵌合する。その結果、ロック嵌合板部２５が上下固定レール２９ｘ及び２９ｙによって上下方向に対して固定されているので、ステージ８は、上下方向（矢印Ｚ方向）の移動が規制され、通帳１０も上下方向に移動しなくなり静止して固定状態となる。
【００４２】
このように、通行スタッカ扉１５の開動作によって、ステージ８に設けたロック嵌合突起部１８とロック嵌合板部２５の所定のロック嵌合孔２５ａが嵌合し、ステージ８の上下方向の移動が規制されるので、保守員は、容易に通帳１０を掴んで取出すことができる。そして、保守員は、取出した通帳１０を回収庫等に移し、通帳スタッカ扉１３を閉じて、図３に示す自動取引装置１の装置開閉扉１ａを閉じた後、自動取引を再開させる。
【００４３】
この通帳スタッカ扉１３が閉動作のとき、通帳スタッカ扉１３の内側に固定されたリンク駆動支点２３が、回転支軸２２を支点として図８に示す矢印Ｂａの反対方向に移動する。このリンク駆動支点２３の移動によって、リンク駆動支点２３に係合した長孔９ａに押されてリンク部９ｘ及び９ｙは矢印Ｃの反対方向へスライドする。
そして、リンク部９ｘ及び９ｙは、通帳スタック部１５の筐体に両端が固定されたリンクスライド支点２４ｂ及び２４ｃと係合したリンク部９ｘ及び９ｙの長孔９ｂ及び９ｃにガイドされ、矢印Ｃの反対方向へスライドする。
【００４４】
このリンク部９のスライド動作により、リンク部９におけるスタッカ後方側の端部に連結された固定手段としてのロック嵌合板部２５が矢印Ｃの反対方向へ移動し、図７に示す状態に戻って、ステージ８に設けたロック嵌合突起部１８とロック嵌合孔２５ａの嵌合が解除される。その結果、ステージ８は、上下方向（矢印Ｚ方向）の移動規制が解除され、非固定状態となって上下方向に移動可能となる。
【００４５】
以上詳細に説明したように、第１の実施の形態に関する通帳スタッカ１２によれば、通帳１０を集積し通帳の集積数に応じて自重により下降するステージ８と、ステージ８にロック嵌合突起部１８と、ロック嵌合突起部１８を嵌合させる固定手段としてのロック嵌合板部２５と、ロック嵌合板部２５と通帳スタッカ扉１３を連結する連結手段としてのリンク部９を設けた。そして、通帳スタッカ扉１３を開く開動作によって、リンク部９をスタッカ前面側にスライドさせてロック嵌合突起部１８とロック嵌合板部２５を嵌合させ、ステージ８を固定状態としたので、通帳スタッカ扉１３を開いて通帳１０を取出すときに上下方向に通帳１０が揺れ動くことがない。また、通帳１０を取出した後に、ステージ８を吊り上げる吊りバネ１６の付勢力によりステージ８が跳上がることがない。
【００４６】
（第１の実施の形態の変形例１）
また、第１の実施の形態に関する通帳スタッカの説明では、ステージ８にロック嵌合突起部１８を備え、リンク部９のスタッカ後方側の端部に、ロック嵌合孔２５ａを備えたロック嵌合板部２５を連結した構成として説明したが、以下のような構成としてもよい。
即ち、ステージ８に凹状の嵌合穴を設け、ロック嵌合板部２５に凸状の嵌合突起部を複数設ける構成とする。そして、通帳スタッカ扉１３を開いて通帳１０を取出すときに、リンク部９をスタッカ前面側にスライドさせ、該スライドによってステージ８の前記嵌合穴とロック嵌合板部２５の前記嵌合突起部を嵌合させて、ステージ８の上下方向の移動を規制するようにしてもよい。
【００４７】
（第１の実施の形態の変形例２）
また、第１の実施の形態に関する通帳スタッカ１２の説明では、図８に示すように、通帳スタッカ扉１３を開く開動作によって、リンク駆動支点２３を移動させ、リンク部９ｘ及び９ｙを矢印Ｃ方向へスライドさせるように説明したが、以下のような構成としてもよい。
【００４８】
図１０は、第１の実施の形態の変形例に関する通帳スタッカの内部を示す上面図である。また、図１１は、同じく第１の実施の形態の変形例に関する通帳スタッカの内部を示す上面図である。
【００４９】
図１０に示すように、第１の実施の形態の変形例に関する通帳スタッカ１２は、第１の実施の形態の通帳スタッカ１２における長孔９ａ及びそれに係合するリンク駆動支点２３に替えて、第１のギヤ３０ａ、第２のギヤ３０ｂ、第３のギヤ３０ｃ及びアームリンク３１を設けた構成となっている。
第１のギヤ３０ａは、通帳スタッカ扉１３の回転支軸２２を支点として回転する。第２のギヤ３０ｂは、第１のギヤ３０ａの回転を受けて回転し、第３のギヤ３０ｃは、第２のギヤ３０ｂの回転を受けて回転する。このような構成によって通帳スタッカ扉１３と連結させる。
【００５０】
アームリンク３１は、第３のギヤ３０ｃの回転によって回動するリンクであり、端部側に第３の長孔としての長孔３１ａを備え、長孔３１ａに係合する第２のリンク駆動支点としてのリンク駆動支点３３によってリンク部９ｘ及び９ｙと連結される。
リンク部９ｘ及び９ｙは、第１の実施の形態に関する通帳スタッカ１２と同様に、通帳スタック部１５の筐体に両端が固定されたリンクスライド支点２４ｂ及び２４ｃと係合したリンク部９ｘ及び９ｙの長孔９ｂ及び９ｃにガイドされ、矢印Ｃ方向へスライドする構成となっている。
【００５１】
そして、通帳スタッカ扉１３が開かれると、図１１に示すように、通帳スタッカ扉１３の矢印Ｂ方向の開動作によって、回転支軸２２が矢印Ｂｂのように回転する。すると、第１のギヤ３０ａが矢印Ｂｂのように回転し、これに歯合する第２のギヤ３０ｂを介して、第３のギヤ３０ｃが矢印Ｂｃ方向に回転し、アームリンク３１も矢印Ｂｃ方向に回転する。
【００５２】
この矢印Ｂｃ方向へのアームリンク３１の回転によって、リンク駆動支点３３が矢印Ｃ方向に移動し、これに連結されたリンク部９ｘ及び９ｙも矢印Ｃ方向にスライドする。
このリンク部９ｘ及び９ｙのスライド動作により、リンク部９ｘ及び９ｙのスタッカ後方側の端部に連結されたロック嵌合板部２５が矢印Ｃ方向へスライドし、ロック嵌合孔２５ａとロック嵌合突起１８が嵌合し、スライド８の上下方向の移動を規制すること、即ちスライド８を固定状態とすることができる。
【００５３】
また、以上の第１の実施の形態の変形例に関する通帳スタッカ１２では、アームリンク３１の回転によって、リンク部９を介して、ロック嵌合板部２５を矢印Ｃ方向にスライドさせるように説明したが、アームリンク３１を、直接、ロック嵌合板部２５と連結して、矢印Ｃ方法にスライドさせる構成としてもよい。
【００５４】
（第２の実施の形態）
次に、第２の実施の形態に関する自動取引装置１及び通帳スタッカ１２の構成を説明する。第２の実施の形態に関する自動取引装置１の構成は、図２及び図３に示す第１の実施の形態に関する自動取引装置１の構成と同様であるので、簡略化のためにその説明は省略する。
【００５５】
図１２は、第２の実施の形態に関する通帳スタッカの内部を示す上面図である。第２の実施の形態に関する通帳スタッカ１２は、第１の実施の形態に関する通帳スタッカ１２と同様に、第１のリンク駆動支点としてのリンク駆動支点２３と、長孔９ａ、９ｂ及び９ｃを設けた連結手段としてのリンク部９を備える。
【００５６】
リンク駆動支点２３が、通帳スタッカ扉１３に固定されていること、及び通帳スタッカ扉１３が開閉動作をすることにより、リンク駆動支点２３も回転支軸２２を中心に回転運動をする構成となっていることは第１の実施の形態に関する通帳スタッカ１２と同様である。
【００５７】
また長孔９ａが、リンク駆動支点２３と係合し、通帳スタッカ扉１３の開動作によって、リンク部９をスタッカ前面側へ牽引することも第１の実施の形態に関する通帳スタッカ１２と同様である。更に、長孔９ｂ及び９ｃが、通帳スタック部１５の筐体に固定されたリンクスライド支点２４ｂ及び２４ｃとそれぞれ係合し、リンク部９が矢印Ｃ方向へスライドするのをガイドすることも第１の実施の形態に関する通帳スタッカ１２と同様である。
【００５８】
本実施の形態において、集積部としてのステージ８におけるスタッカ後方側には、固定手段としての通帳プッシュ部１４が設けられている。通帳プッシュ部１４は、複数の通帳１０の後端をスタッカ前面側へ向けて押して、通帳１０を通帳スタック部１５の外に押出す機能を有する。更に、通帳プッシュ部１４は、後述するステージ８の底面に備えたロックローラ１９を嵌合させるロックローラ嵌合孔１４ａを設け、通帳１０を載置したステージ８を所定の高さに固定させる機能を有する。
【００５９】
このため、通帳スタッカ１２のステージ８においては、通帳プッシュ部１４が矢印Ｃ方向にスライドしても干渉しないように、ステージ８におけるスタッカ後方側の端部に通帳プッシュ部１４が進入するステージ切欠部８ａが設けられている。同様に、通帳スタック部１５におけるスタッカ後方側の端部にも、通帳プッシュ部１４が矢印Ｃ方向にスライドしても干渉しないように、通帳プッシュ部１４が進入するスタック筐体切欠部１５ａが設けられている。
【００６０】
更に、ステージ８の底面には、ロックローラ１９、ロックリンク２１及びリセットバネ２０が設けられている。ロックローラ１９は、ロックリンク２１の先端に取付けられ、水平方向に回転可能とする。ロックリンク２１は中間点２１−１がステージ８の底面に固定され、中間点２１−１を支点として揺動可能である。リセットバネ２０の一端はロックリンク２１の後端に取付けられ、他端がステージ８の底面に取付けられる。これによりロックローラ１９をロックリンク２１を介して矢印Ｅ方向に、即ち、次に説明する通帳プッシュ部１４の進入経路に直角に付勢する。ロックローラ１９はこの付勢力によって、通帳プッシュ部１４の進入経路に一部進出して位置付けられる。
【００６１】
通帳プッシュ部１４は矢印Ｃ方向にスライドしたときに、リセットバネ２０の付勢力に抗して、一旦ロックローラ１９を押し退ける。通帳プッシュ部１４が更に進入したときに、ロックローラ１９がロックローラ嵌合孔１４ａに嵌合する構造である。
スタッカ前面側から見てステージ８の左右両側面にはステージ支持部１７が設けられている。ステージ支持部１７には、ステージ８を上方向に吊り上げるための吊りバネ１６の下端が取付けられている。通帳スタック部１５の両側面の外側には、吊りバネ１６の上端が取付けられている。これにより、ステージ８は吊りバネ１６の付勢力によって、常に上方に吊り上げられ、通帳１０の集積数に応じて自重により下降し、所定の高さで停止している。
【００６２】
次に、第２の実施の形態に関する通帳スタッカ１２の通帳プッシュ部１４の構成を説明する。図１３は、第２の実施の形態に関する通帳スタッカの通帳プッシュ部をスタッカ前面側上方から見た斜視図である。
通帳プッシュ部１４は、スタッカ後方側の端部が後方リンク部９−１ｘ及び９−１ｙと直角に連結され、更に後方リンク部９−１ｘ及び９−１ｙがリンク部９ｘ及び９ｙと直角に連結された構成となっている。通帳プッシュ部１４は略長方形の板状であり、長方形の一つの長辺がスタッカ前面側に位置して通帳１０を押出す通帳プッシュ面１４−１となる。そして、通帳プッシュ部１４の長方形の側面にはロックローラ嵌合孔１４ａが縦方向に複数設けられる。
【００６３】
ここで、通帳プッシュ部１４、後方リンク部９−１ｘ及び９−１ｙ並びにリンク部９ｘ及び９ｙ間の連結は、ネジ止め又は溶接でもよい。或いは、通帳プッシュ部１４は、リンク部９ｘ及び９ｙとともに一体成型として生成してもよいし、板金加工により生成してもよい。
【００６４】
リンク部９ｘ及び９ｙは、通帳スタック部１５の筐体に上下両端が固定されたリンクスライド支点２４ｂ及び２４ｃ並びにこれに係合する長孔９ｂ及び９ｃによって支持される。これによりリンク部９ｘ及び９ｙは、スタッカ前面側（矢印Ｃ方向）にスライド可能となっている。従って、リンク部９ｘ及び９ｙが矢印Ｃ方向にスライドすれば、リンク部９ｘ及び９ｙに直角に連結された通帳プッシュ部１４も、リンク部９ｘ及び９ｙとともに矢印Ｃ方向にスライドする。
【００６５】
通帳プッシュ部１４は、ロックローラ嵌合孔１４ａを上下方向（矢印Ｚ方向）に複数配置し、リンク部９とともに矢印Ｃ方向にスライドしたときに、ステージ８の底面に設けたロックローラ１９をロックローラ嵌合孔１４ａに嵌合させる。こうしてステージ８が矢印Ｚ方向へ移動するのを規制すること、即ちステージ８を固定状態にすることができる。
【００６６】
図１４は、第２の実施の形態に関する通帳スタッカのステージの底面に設けたロックローラを示す斜視図である。通帳プッシュ部１４は、通帳プッシュ面１４−１を先頭にして矢印Ｃ方向に移動し、ステージ切欠部８ａ内の所定の位置で停止する。そのとき、ロックリンク２１の先端に設けられたロックローラ１９は、通帳プッシュ部１４の側面に向けて矢印Ｅ方向に移動する。これにより、ロックローラ１９はロックローラ嵌合孔１４ａの一つに嵌合することになる。ロックローラ１９は円盤状であり、上面が大円で下面が小円となる断面が逆台形となっている。ロックローラ１９は回転可能であり、そのためロックローラ１９がロックローラ嵌合孔１４ａに嵌合する前にロックローラ嵌合孔１４ａの淵に接触しても容易に嵌合し易くなっている。
【００６７】
なお、ロックローラ嵌合孔１４ａは、ロックローラ１９に嵌合するようにできれば、別の多角形状又は円形状であってもよい。また、ロックローラ嵌合孔１４ａは、貫通した孔形状でなくてもよく、テーパー状の穴形状としてもよい。また、ロックローラ嵌合孔１４ａの数は、１３個以上であってもよいし、１１個以下であってもよい。
【００６８】
図１５は、第２の実施の形態に関する通帳スタッカの内部を示す側面図である。図１５は図１２における矢印Ｓ方向から見た側面図である。図１５は通帳スタッカ扉１３が閉じた状態を示す。
通帳スタッカ１２の内部には、通帳スタック部１５と、上下２本のリンク部９ｘ及び９ｙが配置されている。リンク部９ｘ及び９ｙは、それぞれ上下固定レール２９ｘ及び２９ｙによって上下方向には固定されるが、矢印Ｃ方向にスライド可能に配置されている。スタッカ後方側の端部には、後方リンク部９−１ｘ及び９−１ｙ（図１３参照）を介して通帳プッシュ部１４が連結されている。これにより通帳プッシュ部１４は上下方向には固定されるが、矢印Ｃ方向にスライド可能となる。即ち、通帳プッシュ部１４はステージ８に対して接離する方向にスライド可能となる。
【００６９】
前述のように通帳１０を集積するステージ８は、吊りバネ１６によって、上方向（矢印Ｚａ方向）に吊り上げられている。吊りバネ１６は、その上端が通帳スタック部１５の外側面に固定され、下端がステージ８に連結されたステージ支持部１７に接続されている。そして、ステージ８の底面には、ロックローラ１９、ロックリンク２１及びリセットバネ２０が設けられている。
【００７０】
以上の構成により第２の実施の形態に関する通帳スタッカ１２は以下のように動作する。なお、第２の実施の形態に関する自動取引装置１の動作は、第１の実施の形態に関する自動取引装置１の動作と同様である。
図１６は、第２の実施の形態に関する通帳スタッカの内部を示す上面図である。また、図１７は、第２の実施の形態に関する通帳スタッカの内部を示す側面図である。図１７は図１６における矢印Ｓ方向から見た側面図である。図１６及び図１７は通帳スタッカ扉１３が開いた状態を示す。
【００７１】
通帳スタッカ扉１３が回転支軸２２を支点として矢印Ｂのように開かれると、図１６に示すように、通帳スタッカ扉１３の内側に上下両端が固定されたリンク駆動支点２３が、同じく回転支軸２２を支点として矢印Ｂａのように移動する。このリンク駆動支点２３の移動によって、リンク駆動支点２３に係合した長孔９ａが移動し、長孔９ａの移動に牽引されて、リンク部９ｘ及び９ｙは矢印Ｃ方向へスライドする。
そして、リンク部９ｘ及び９ｙは、通帳スタック部１５の筐体に上下両端が固定されたリンクスライド支点２４ｂ及び２４ｃと係合したリンク部９ｘ及び９ｙの長孔９ｂ及び９ｃにガイドされ、矢印Ｃ方向へスライドする。
【００７２】
このリンク部９ｘ及び９ｙのスライド動作により、リンク部９ｘ及び９ｙのスタッカ後方側の端部に後方リンク部９−１を介して連結された通帳プッシュ部１４が矢印Ｃ方向へスライドする。通帳プッシュ部１４は、ステージ８に設けられたステージ切欠部８ａへ進入することにより、ステージ８上に集積された通帳１０の後端を押すことになる。これにより通帳１０は矢印Ｄのように通帳スタック部１５から押し出される。
この時、ステージ８の底面に設けたロックローラ１９は通帳プッシュ部１４の進入経路に一部進出して位置付けられているので、通帳プッシュ部１４は、ロックローラ１９の一部と当接する。その後、通帳プッシュ部１４はリセットバネ２０の矢印Ｅ方向への付勢力に打ち勝って、ロックローラ１９を押し退け、更に矢印Ｃ方向へ進む。
【００７３】
通帳プッシュ部１４が更に矢印Ｃ方向に進むと、図１７に示すように、ロックローラ１９が通帳プッシュ部１４のロックローラ嵌合孔１４ａに嵌合する。通帳プッシュ部１４が上下固定レール２９ｘ及び２９ｙによって上下方向に対して固定されているので、その結果、ステージ８は、上下方向（矢印Ｚ方向）の移動が規制され、通帳１０も上下方向に移動しなくなり固定状態となる。
【００７４】
次に、このときの第２の実施の形態に関する通帳スタッカ１２の外観を説明する。図１８は、第２の実施の形態に関する通帳スタッカ扉が開かれたときの通帳スタッカを装置背面上方から見た斜視図である。
図１８に示すように、通行スタッカ扉１３の開く動作によって、通帳１０が、通帳スタック部１５から矢印Ｄのように押し出された状態となり、ステージ８は上下方向の移動が規制され固定状態となるので、保守員は、容易に通帳１０を掴んで取出すことができる。
そして、保守員は、取出した通帳１０を回収庫等に移し、通帳スタッカ扉１３を閉じて、図３に示す自動取引装置１の装置開閉扉１ａも閉じた後、自動取引を再開させる。
【００７５】
このとき、通帳スタッカ扉１３が閉じられので、通帳スタッカ扉１３に固定されたリンク駆動支点２３が、回転支軸２２を支点として図１６に示す矢印Ｂａの反対方向に移動する。このリンク駆動支点２３の移動によって、リンク駆動支点２３に係合した長孔９ａに押されて、リンク部９ｘ及び９ｙは矢印Ｃの反対方向へスライドする。
そして、リンク部９ｘ及び９ｙは、リンクスライド支点２４ｂ及び２４ｃとリンク部９ｘ及び９ｙの長孔９ｂ及び９ｃにガイドされ、矢印Ｃの反対方向へスライドする。
【００７６】
このリンク部９ｘ及び９ｙのスライド動作により、リンク部９ｘ及び９ｙに連結された通帳プッシュ部１４が矢印Ｃの反対方向へスライドし、図１５に示す状態に戻って、ステージ８の底面に設けたロックローラ１９とロックローラ嵌合孔１４ａの嵌合が外れる。その結果、ステージ８は、上下方向（矢印Ｚ方向）の移動規制が解除され、非固定状態となって上下方向に移動可能となる。
【００７７】
以上詳細に説明したように第２の実施の形態に関する通帳スタッカ１２によれば、通帳１０を集積し通帳の集積数に応じて自重により下降するステージ８と、ステージ８にロックローラ１９を設け、固定手段としての通帳プッシュ部１５と、通帳スタッカ扉１３の動作を通帳プッシュ部１５の移動へ連結するリンク部９を設けた。そして、通帳スタッカ扉１３の開動作によって、リンク部９を介して通帳プッシュ部１５をスライドさせて、ロックローラ１９と通帳プッシュ部１４のロックローラ嵌合孔１４ａを嵌合し、ステージ８を固定状態にした。これにより通帳スタッカ扉１３を開いて通帳１０を取出すときに、通帳１０が上下方向に揺れ動くことがなく、通帳１０を取出した後にステージ８が跳上がることもない。同時に、通帳１０が通帳スタッカ１２の外に押し出されて取り易くすることができる。
【００７８】
（第２の実施の形態の変形例１）
第２の実施の形態に関する通帳スタッカ１２について、図１０に示す第１の実施の形態の変形例に関する通帳スタッカ１２のリンク機構を採用すれば、通帳スタッカ扉１３の矢印Ｂ方向の開動作によって、第２の実施の形態に関する通帳プッシュ部１４を矢印Ｃ方向にスライドさせることができる。通帳スタッカ扉１３の開動作によって、アームリンク３１（図１０参照）を回転させ、リンク部９ｘ及び９ｙをスライドさせる。そして、リンク部９ｘ及び９ｙのスタッカ後方側の端部に連結された通帳プッシュ部１４を矢印Ｃ方向へスライドさせ、通帳プッシュ部１４のロックローラ嵌合孔１４ａとステージ８のロックローラ１９を嵌合させて、ステージ８の上下方向の移動を規制すること、即ちステージ８を固定状態にすることができる。
【００７９】
また、アームリンク３１（図１０参照）の回転によって、リンク部９を介して、通帳プッシュ部１４を矢印Ｃ方向にスライドさせる替りに、アームリンク３１を、直に通帳プッシュ部１４と連結して、直接矢印Ｃ方法にスライドさせる構成としてもよい。
【００８０】
（第２の実施の形態の変形例２）
図１９は第２の実施の形態の変形例２に関する通帳スタッカの内部を示す上面図である。第２の実施の形態の変形例２は、ロックローラ嵌合孔１４ａを有する固定手段としてのロック嵌合板部３４をリンク部９と一体化し、リンク部９により直接矢印Ｃ方向にスライドさせる構成である。ロック嵌合板部３４は、ロックローラ嵌合孔１４ａをステージ８へ向けて配置し、ステージ８の側面に対して平行にスライドする。ロック嵌合板部３４は、複数のロックローラ嵌合孔１４ａを上下方向に複数設ける。
【００８１】
更に、ステージ８の底面には、第２の実施の形態の説明と同様に、ロックローラ１９、ロックリンク２１及びリセットバネ２０が設けられている。ロックローラ１９は、ロックリンク２１の先端に取付けられ、水平方向に回転可能とする。ロックリンク２１は中間点２１−１がステージ８の底面に固定され、中間点２１−１を支点として揺動可能である。リセットバネ２０の一端はロックリンク２１の後端に取付けられ、他端がステージ８の底面に取付けられる。これによりロックローラ１９をリンク部９がスライドする方向に直角な方向である矢印Ｆ方向に付勢する。ロックローラ１９はこの付勢力によって、ロック嵌合板部３４におけるロックローラ嵌合孔１４ａ以外の位置に押し付けられている。
通帳スタッカ扉１３が開いたときに、リンク部９によりロック嵌合板部３４はステージ８の側面を矢印Ｃ方向にスライドし、ロックローラ１９はロックローラ嵌合孔１４ａに嵌合し、ステージ８を固定状態とする。
【００８２】
以上の実施の形態に関する通帳スタッカ１２及び自動取引装置１の説明では、図３に示すように装置背面側において保守を行う自動取引装置１を例として説明したが、装置正面側に装置開閉扉１ａ及び通帳スタッカ扉１３を設けた通帳スタッカ１２及び自動取引装置１にも本発明を適用することができる。
【００８３】
また、第１及び第２の実施の形態に関する通帳スタッカの説明では、吊りバネ等によってステージ８を上方向に吊り上げておき、通帳１０の重量によってステージ８を下降させる通帳スタッカを例として説明したが、モータ等の駆動手段を用いてステージ８を上昇又は下降させる通帳スタッカにおいても本発明を適用することができる。
即ち、本発明によれば、通帳スタッカ扉１３を開くことによってステージ８を固定状態にすることができるので、ステージ８の上下方向の駆動制御が不能になった場合でも、ステージ８は上下方向に暴走することがなく、ステージ８上の通帳１０を容易に取出すことができる上、ステージ８の暴走によって操作者等が手等を挟むこともない。
【符号の説明】
【００８４】
１            自動取引装置
８            ステージ
９            リンク部
９ａ〜９ｃ    長孔
１０          通帳
１２          通帳スタッカ
１３          通帳スタッカ扉
１４          通帳プッシュ部
１４ａ        ロックローラ嵌合孔
１６          吊りバネ
１８          ロック嵌合突起部
１９          ロックローラ
２０          リセットバネ
２１          ロックリンク
２２          回転支軸
２５          ロック嵌合板部
２５ａ        ロック嵌合孔
３０          ギヤ
【図１】
2018008792.tif 000003
【図２】
2018008792.tif 000004
【図３】
2018008792.tif 000005
【図４】
2018008792.tif 000006
【図５】
2018008792.tif 000007
【図６】
2018008792.tif 000008
【図７】
2018008792.tif 000009
【図８】
2018008792.tif 000010
【図９】
2018008792.tif 000011
【図１０】
2018008792.tif 000012
【図１１】
2018008792.tif 000013
【図１２】
2018008792.tif 000014
【図１３】
2018008792.tif 000015
【図１４】
2018008792.tif 000016
【図１５】
2018008792.tif 000017
【図１６】
2018008792.tif 000018
【図１７】
2018008792.tif 000019
【図１８】
2018008792.tif 000020
【図１９】
2018008792.tif 000021
【図２０】
2018008792.tif 000022